(57)【要約】      （修正有）【課題】施工現場における水深等の作業条件に柔軟に対応できる水中捨石均し装置を提供する。【解決手段】台座に支柱を立設した支持体４と、前記支柱に摺動自在に装着した錘５とを有し、錘５を前記台座に向けて前記支柱に沿って落下させることで前記台座で水中に投入した捨石７を押圧していく水中捨石均し装置１において、支持体４は、前記台座に立設した前記支柱に錘５を摺動自在に装着させるための錘ガイド体と、吊下具を設けた延長体とを、着脱自在に上下に接続することにした。【選択図】図１
2020143525.tif 000002
【特許請求の範囲】
【請求項１】
台座に支柱を立設した支持体と、前記支柱に摺動自在に装着した錘とを有し、前記錘を前記台座に向けて前記支柱に沿って落下させることで前記台座で水中に投入した捨石を押圧していく水中捨石均し装置において、
前記支持体は、前記台座に立設した前記支柱に前記錘を摺動自在に装着させるための錘ガイド体と、吊下具を設けた延長体とを、着脱自在に上下に接続したことを特徴とする水中捨石均し装置。
【請求項２】
前記錘ガイド体は、前記支柱の下端に前記台座を設けた下部側錘ガイド構成体と、前記支柱の上端にストッパーを設けた上部側錘ガイド構成体とに分割可能としたことを特徴とする請求項１に記載の水中捨石均し装置。
【請求項３】
前記延長体は、前記吊下具を上端に設けた上部側延長構成体と、前記錘ガイド体に接続する下部側延長構成体とに分割可能としたことを特徴とする請求項１又は請求項２に記載の水中捨石均し装置。
【発明の詳細な説明】
【技術分野】
【０００１】
本発明は、水中に投入した捨石を錘で押圧していく水中捨石均し装置に関するものである。
【背景技術】
【０００２】
従来より、水中にケーソン等の構造物を設置する場合などにおいて、水中の地盤に投入した捨石を錘で押圧することで均し固めて基礎を形成する水中捨石均し工法が用いられている。
【０００３】
この水中捨石均し工法では、錘を上下摺動自在に装着した支柱を台座に立設した構造の水中捨石均し装置を用い、錘を台座に向けて支柱に沿って落下させることで台座で水中に投入した捨石を押圧するようにしている（たとえば、特許文献１参照。）。
【先行技術文献】
【特許文献】
【０００４】
【特許文献１】特開２０１０−１６８７３０号公報
【発明の概要】
【発明が解決しようとする課題】
【０００５】
上記従来の水中捨石均し装置では、水深等の条件が異なる現場で施工作業を行う必要がある。
【０００６】
そのため、従来の水中捨石均し装置では、施工現場における水深等の条件に柔軟に対応できる構成とすることが望まれている。
【課題を解決するための手段】
【０００７】
そこで、請求項１に係る本発明では、台座に支柱を立設した支持体と、前記支柱に摺動自在に装着した錘とを有し、前記錘を前記台座に向けて前記支柱に沿って落下させることで前記台座で水中に投入した捨石を押圧していく水中捨石均し装置において、前記支持体は、前記台座に立設した前記支柱に前記錘を摺動自在に装着させるための錘ガイド体と、吊下具を設けた延長体とを、着脱自在に上下に接続することにした。
【０００８】
また、請求項２に係る本発明では、前記請求項１に係る本発明において、前記錘ガイド体は、前記支柱の下端に前記台座を設けた下部側錘ガイド構成体と、前記支柱の上端にストッパーを設けた上部側錘ガイド構成体とに分割可能とすることにした。
【０００９】
また、請求項３に係る本発明では、前記請求項１又は請求項２に係る本発明において、前記延長体は、前記吊下具を上端に設けた上部側延長構成体と、前記錘ガイド体に接続する下部側延長構成体とに分割可能とすることにした。
【発明の効果】
【００１０】
そして、本発明では、以下に記載する効果を奏する。
【００１１】
すなわち、本発明では、台座に支柱を立設した支持体と、前記支柱に摺動自在に装着した錘とを有し、前記錘を前記台座に向けて前記支柱に沿って落下させることで前記台座で水中に投入した捨石を押圧していく水中捨石均し装置において、前記支持体は、前記台座に立設した前記支柱に前記錘を摺動自在に装着させるための錘ガイド体と、吊下具を設けた延長体とを、着脱自在に上下に接続することにしているために、長さの異なる延長体を錘ガイド体に接続するなどによって施工現場における水深等の作業条件に柔軟に対応させることができる。
【００１２】
特に、前記錘ガイド体を、前記支柱の下端に前記台座を設けた下部側錘ガイド構成体と、前記支柱の上端にストッパーを設けた上部側錘ガイド構成体とに分割可能としたり、前記延長体を、前記吊下具を上端に設けた上部側延長構成体と、前記錘ガイド体に接続する下部側延長構成体とに分割可能とすることで、より一層施工現場における作業条件に柔軟に対応させることができる。
【図面の簡単な説明】
【００１３】
【図１】本発明に係る水中捨石均し装置を示す説明図。
【図２】水中捨石均し装置の動作を示す説明図。
【図３】錘ガイド体及び錘を示す正面図（ａ）、正面断面図（ｂ）、平面図（ｃ）、Ａ−Ａ断面図（ｄ）、Ｂ−Ｂ断面図（ｅ）。
【図４】延長体を示す正面図（ａ）、正面断面図（ｂ）、平面図（ｃ）、Ｃ−Ｃ断面図（ｄ）、Ｄ−Ｄ断面図（ｅ）。
【発明を実施するための形態】
【００１４】
以下に、本発明に係る水中捨石均し装置の具体的な構成について図面を参照しながら説明する。
【００１５】
図１に示すように、水中捨石均し装置１は、起重機船２のクレーン３にそれぞれ独立して昇降自在に吊下げた支持体４と錘５とで構成している。
【００１６】
そして、水中捨石均し装置１は、図２に示すように、予め水中６の所定位置に投入した捨石７の上部に支持体４と錘５とを載置し（図２（ａ））、その後、水中６で錘５だけを支持体４に沿って所定の高さまで上方に吊上げ（図２（ｂ））、その後、支持体４に沿って錘５を落下させることよって予め水中６の所定位置に投入した捨石７を押圧して均し固める（図２（ｃ））。
【００１７】
この水中捨石均し装置１の支持体４は、錘ガイド体８と延長体９とを上下に着脱自在に接続した構成となっている。
【００１８】
錘ガイド体８は、図３に示すように、下部側錘ガイド構成体10と上部側錘ガイド構成体11とに分割可能に構成されている。
【００１９】
下部側錘ガイド構成体10は、水平な矩形板状の台座12の上部に複数本（ここでは、４本）の支柱13をそれぞれ間隔をあけて垂直に立設し、支柱13の上端部に水平な薄板状の接続体14を取付けている。
【００２０】
上部側錘ガイド構成体11は、水平な薄板状の接続体15の上部に複数本（ここでは、４本）の支柱16をそれぞれ間隔をあけて垂直に立設し、支柱16の上端部に水平な薄板状の接続体17を取付けている。
【００２１】
そして、錘ガイド体８は、下部側錘ガイド構成体10の支柱13と上部側錘ガイド構成体11の支柱16とをそぞれぞ上下に直線状に伸延させた状態で接続体14,15同士をボルト・ナット等の締結具で締結することで着脱自在に接続できるようになっている。
【００２２】
この錘ガイド体８は、それぞれ上下に直線状に伸延させた複数本の支柱13,16の外側（支柱13,16の水平な外接線よりも外側）に錘５を上下に複数本の支柱13,16に沿って摺動自在に装着している。
【００２３】
錘５は、外形が矩形箱型形状となっており、中央部に上下に貫通する一つの貫通孔18を形成している。貫通孔18は、支柱13,16の水平な外接線よりも大きな水平断面を有している。なお、錘５には、上部四隅にクレーン３で吊下げるための吊下具19を取付けている。
【００２４】
そして、錘ガイド体８は、錘５の貫通孔18を複数本の支柱13,16に挿通させている。
【００２５】
また、錘ガイド体８は、下部側錘ガイド構成体10の支柱13の上部間及び中途部間並びに下部間を連結体20,21,22で連結するとともに、上部側錘ガイド構成体11の支柱16の中途部間及び下部間を連結体23,24で連結し、さらに、上部側錘ガイド構成体11の支柱16の上部間をストッパー25で連結している。
【００２６】
連結体20〜24は、複数本の支柱13,16の内側（支柱13,16の水平な外接線よりも内側）で各支柱13,16を連結しており、錘５が支柱13,16に沿って上下に摺動する際に錘５の貫通孔18と衝突（緩衝）しないようになっている。一方、ストッパー25は、複数本の支柱16の外側（支柱16の水平な外接線よりも外側）に張り出して各支柱16を連結しており、錘５が支柱16に沿って上方に摺動した際に錘５の上面がストッパー25の下面と当接して錘５の上方への摺動を阻止するようになっている。なお、錘５の貫通孔18の内周面と支柱13,16及び連結体20〜24の外周面との間には、錘５の落下時に水の抵抗を緩和する水抜孔として機能する隙間26を形成している。
【００２７】
錘ガイド体８は、上部側錘ガイド構成体11の上部に延長体９を着脱自在に接続している。
【００２８】
延長体９は、図４に示すように、下部側延長構成体27と上部側延長構成体28とに分割可能に構成されている。
【００２９】
下部側延長構成体27は、水平な薄板状の接続体29の上部に複数本（ここでは、４本）の支柱30をそれぞれ間隔をあけて垂直に立設し、支柱30の上端部に薄板状の接続体31を取付けている。
【００３０】
上部側延長構成体28は、水平な薄板状の接続体32の上部に複数本（ここでは、４本）の支柱33をそれぞれ間隔をあけて垂直に立設し、支柱33の上端部に水平な薄板状の天井板34を取付け、天井板34の上部に前後一対の吊下具35,35を取付けている。
【００３１】
そして、延長体９は、下部側延長構成体27の支柱30と上部側延長構成体28の支柱33とをそれぞれ上下に直線状に伸延させた状態で接続体31,32同士をボルト・ナット等の締結具で締結することで着脱自在に接続できるようになっている。また、延長体９は、下部側延長構成体27の支柱30と錘ガイド体８の上部側錘ガイド構成体11の支柱16とをそれぞれ上下に直線状に伸延させた状態で下部側延長構成体27の接続体29と上部側錘ガイド構成体11の接続体17とをボルト・ナット等の締結具で締結することで着脱自在に接続できるようになっている。
【００３２】
延長体９は、下部側延長構成体27の支柱30の上部間及び中途部間並びに下部間を連結体36,37,38で連結するとともに、上部側延長構成体28の支柱33の上部間及び下部間を連結体39,40で連結している。
【００３３】
連結体36〜40は、複数本の支柱30,33の外側（支柱30,33の水平な外接線よりも外側）に張り出して各支柱30,33を連結している。
【００３４】
なお、上記延長体９は、上部側延長構成体28の下部に１個の下部側延長構成体27を接続した構成としているが、これに限られず、上部側延長構成体28の下部に複数個の下部側延長構成体27を上下に接続した構成とすることもできる。
【００３５】
以上に説明したように、上記水中捨石均し装置１は、台座12に支柱13,16を立設した支持体４と、支柱４に摺動自在に装着した錘５とを有し、錘５を台座12に向けて支柱13,16に沿って落下させることで台座12で水中６に投入した捨石７を押圧する構成となっている。
【００３６】
しかも、上記水中捨石均し装置１の支持体４は、台座12に立設した支柱13,16に錘５を摺動自在に装着させるための錘ガイド体８と、吊下具35を設けた延長体９とを、着脱自在に上下に接続した構成となっている。
【００３７】
そのため、上記構成の水中捨石均し装置１では、長さの異なる延長体９を錘ガイド体８に接続するなどによって施工現場における水深等の作業条件に柔軟に対応させることができる。
【００３８】
また、上記水中捨石均し装置１は、錘ガイド体８を、支柱13の下端に台座12を設けた下部側錘ガイド構成体10と、支柱16の上端にストッパー25を設けた上部側錘ガイド構成体11とに分割可能に構成している。
【００３９】
そのため、上記構成の水中捨石均し装置１では、長さの異なる下部側錘ガイド構成体10又は／及び上部側錘ガイド構成体11を接続するなどによってより一層施工現場における水深等の作業条件に柔軟に対応させることができる。
【００４０】
また、上記水中捨石均し装置１は、延長体９を、吊下具35を上端に設けた上部側延長構成体28と、錘ガイド体８に接続する下部側延長構成体27とに分割可能に構成している。
【００４１】
そのため、上記構成の水中捨石均し装置１では、長さの異なる下部側延長構成体27又は／及び上部側延長構成体28を接続するなどによってより一層施工現場における水深等の作業条件に柔軟に対応させることができる。
【００４２】
また、上記水中捨石均し装置１は、支持体４の台座12に複数の支柱13,16を間隔をあけて立設するとともに、錘５の中央部に上下に貫通する一つの貫通孔18を形成し、支持体４の複数の支柱13,16に錘５の貫通孔18を挿通させて、錘５を支柱13,16の外側に沿って摺動可能とした構成となっている。
【００４３】
そのため、上記構成の水中捨石均し装置１では、錘５に一つの貫通孔18を形成するだけで従来の挿通孔と水抜孔とを兼用させることができ、錘５の構造を簡素化することができ、製造に要する時間や費用を軽減することができる。
【００４４】
また、上記水中捨石均し装置１は、複数の支柱13,16の内側に複数の支柱13,16を連結する連結体20〜24を設けた構成となっている。
【００４５】
そのため、上記構成の水中捨石均し装置１では、錘５の摺動に支障を来すことなく支持体４の強度を増大させることができる。
【００４６】
また、上記水中捨石均し装置１は、複数の支柱16の錘５よりも上方側で複数の支柱16の外側に張り出させたストッパー25で複数の支柱16を連結した構成となっている。
【００４７】
そのため、上記構成の水中捨石均し装置１では、ストッパー25で錘５の上方への摺動を阻止することができるとともに、錘５の摺動に支障を来すことなく支持体４の強度を増大させることができる。
【符号の説明】
【００４８】
１  水中捨石均し装置                  ２  起重機船
３  クレーン                          ４  支持体
５  錘                                ６  水中
７  捨石                              ８  錘ガイド体
９  延長体                            10  下部側錘ガイド構成体
11  上部側錘ガイド構成体              12  台座
13,16  支柱                           14,15,17  接続体
18  貫通孔                            19  吊下具
20〜24  連結体                        25  ストッパー
26  隙間                              27  下部側延長構成体
28  上部側延長構成体                  29,31,32  接続体
30,33  支柱                           34  天井板
35  吊下具                            36〜40  連結体
【図１】
2020143525.tif 000003
【図２】
2020143525.tif 000004
【図３】
2020143525.tif 000005
【図４】
2020143525.tif 000006